【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第２の局から第２のワイヤレスメッセージを受信することと少なくとも部分的に同時に、第１の局から第１のワイヤレスメッセージを受信することと、
前記第１のワイヤレスメッセージを受信したことに応答して、第１の確認応答メッセージを生成することと、
前記第２のワイヤレスメッセージを受信したことに応答して、第２の確認応答メッセージを生成することと、
前記第２の局へ前記第２の確認応答メッセージを送信することと少なくとも部分的に同時に、前記第１の局に前記第１の確認応答メッセージを送信することと、
を備え、
前記第１の確認応答メッセージはブロック確認応答として生成され、前記第２の確認応答メッセージは単一フレームの確認応答として生成される、方法。
【請求項２】
前記第１の局から第３のワイヤレスメッセージを受信することと、前記第３のワイヤレスメッセージは前記第１の局についての確認応答ポリシーを示し、
前記第１の局についての前記確認応答ポリシーに基づいて、前記第１の確認応答メッセージを送信することと、
をさらに備える、請求項１に記載の方法。
【請求項３】
前記第３のワイヤレスメッセージに基づいて、前記第１のワイヤレス局が即刻のブロック確認応答を要求していると決定することと、
前記決定に基づいて前記第１の確認応答メッセージを送信することと、
をさらに備える、請求項２に記載の方法。
【請求項４】
前記第１のワイヤレスメッセージおよび前記第２のワイヤレスメッセージと少なくとも部分的に同時に、第３の局から第３のワイヤレスメッセージを受信することと、
前記第３の局が遅れたブロック確認応答を要求していることを示す第４のワイヤレスメッセージを前記第３の局から受信することと、
前記第４のワイヤレスメッセージに基づいて、前記第１および第２のワイヤレスメッセージの前記送信の完了の後、前記第３の局へ第３の確認応答メッセージを送信することと、
をさらに備える、請求項１に記載の方法。
【請求項５】
ワイヤレス通信のための装置であって、
第２の局から第２のワイヤレスメッセージを受信することと少なくとも部分的に同時に、第１の局から第１のワイヤレスメッセージを受信するように構成される受信機と、
前記第１のワイヤレスメッセージを受信したことに応答して、第１の確認応答メッセージを生成し、前記第２のワイヤレスメッセージを受信したことに応答して、第２の確認応答メッセージを生成するように構成されるプロセッサと、
前記第２の局へ前記第２の確認応答メッセージを送信することと少なくとも部分的に同時に、前記第１の確認応答メッセージを前記第１の局に送信するように構成される送信機と、
を備え、
前記プロセッサはさらに、ブロック確認応答として前記第１の確認応答メッセージを生成するように構成され、前記プロセッサはさらに、単一フレームの確認応答として前記第２の確認応答メッセージを生成するように構成される、装置。
【請求項６】
前記受信機はさらに、前記第１の局から第３のワイヤレスメッセージを受信するように構成され、前記第３のワイヤレスメッセージは前記第１の局についての確認応答ポリシーを示し、前記送信機はさらに、前記第１の局についての前記確認応答ポリシーに基づいて、前記第１の確認応答メッセージを送信するように構成される、請求項５に記載の装置。
【請求項７】
前記プロセッサはさらに、前記第３のワイヤレスメッセージに基づいて、前記第１のワイヤレス局が即刻のブロック確認応答を要求していると決定するように構成され、前記送信機はさらに、前記決定に基づいて前記第１の確認応答メッセージを送信するように構成される、請求項６に記載の装置。
【請求項８】
前記受信機はさらに、前記第１のワイヤレスメッセージおよび前記第２のワイヤレスメッセージと少なくとも部分的に同時に、第３の局から第３のワイヤレスメッセージを受信し、前記第３の局が遅れたブロック確認応答を要求していることを示す第４のワイヤレスメッセージを前記第３の局から受信するように構成され、
前記送信機はさらに、前記第４のワイヤレスメッセージに基づいて、前記第１および第２のワイヤレスメッセージの前記送信の完了の後、前記第３の局へ第３の確認応答メッセージを送信するように構成される、請求項５に記載の装置。
【請求項９】
ワイヤレス通信の方法であって、
第１のワイヤレスデバイスで、第２のワイヤレスデバイスへの第２のワイヤレスメッセージの第３のワイヤレスデバイスによる送信と少なくとも部分的に同時に、前記第２のワイヤレスデバイスに第１のワイヤレスメッセージを送信することと、
前記第２のワイヤレスメッセージに対する第２の確認応答メッセージの少なくとも一部分を受信することと少なくとも部分的に同時に、前記第１のワイヤレスメッセージに対する確認応答メッセージを受信することと、
を備え、
前記第１の確認応答メッセージはブロック確認応答として生成され、前記第２の確認応答メッセージは単一フレームの確認応答として生成される、方法。
【請求項１０】
前記第２のワイヤレスデバイスからクリアツートランスミットメッセージを受信することと、
前記第１のワイヤレスメッセージを送信する時間を決定するために前記クリアツートランスミットメッセージを復号することと、
前記決定された時間において前記第１のワイヤレスメッセージを送信することと、
をさらに備える、請求項９に記載の方法。
【請求項１１】
前記第１のワイヤレスデバイスで、遅れたブロック確認応答が要求されることを示す確認応答ポリシーメッセージを送信することと、
前記第１のワイヤレスデバイスで、前記第２のワイヤレスデバイスに送信される第４のワイヤレスメッセージの第４のワイヤレスデバイスによる送信と少なくとも部分的に同時に、前記第２のワイヤレスデバイスに第３のワイヤレスメッセージを送信することと、
前記第２のワイヤレスデバイスにブロック確認応答要求メッセージを送信することと、前記ブロック確認応答要求メッセージは前記第３のワイヤレスメッセージの確認応答を要求し、
前記第２のワイヤレスデバイスから前記第３のワイヤレスメッセージに対するブロック確認応答メッセージを受信することと、
をさらに備える、請求項９に記載の方法。
【請求項１２】
ワイヤレス通信のための第１の装置であって、
第２のワイヤレスデバイスへの第２のワイヤレスメッセージの第３のワイヤレスデバイスによる送信と少なくとも部分的に同時に、前記第２のワイヤレスデバイスに第１のワイヤレスメッセージを送信するように構成される送信機と、
前記第２のワイヤレスメッセージに対する第２の確認応答メッセージの少なくとも一部分を受信することと少なくとも部分的に同時に、前記第１のワイヤレスメッセージに対する確認応答メッセージを受信するように構成される受信機と、
を備え、
前記第１の確認応答メッセージはブロック確認応答として生成され、前記第２の確認応答メッセージは単一フレームの確認応答として生成される、第１の装置。
【請求項１３】
前記受信機はさらに、前記第２のワイヤレスデバイスからクリアツートランスミットメッセージを受信するように構成され、
前記プロセッサはさらに、前記第１のワイヤレスメッセージを送信する時間を決定するために前記クリアツートランスミットメッセージを復号するように構成され、
前記送信機はさらに、前記決定された時間において前記第１のワイヤレスメッセージを送信するように構成される、
請求項１２に記載の装置。
【請求項１４】
前記送信機はさらに、
遅れたブロック確認応答が要求されることを示す確認応答ポリシーメッセージを送信し、
前記第２のワイヤレスデバイスに送信される第４のワイヤレスメッセージの第４のワイヤレスデバイスによる送信と少なくとも部分的に同時に、前記第２のワイヤレスデバイスに第３のワイヤレスメッセージを送信し、
前記第２のワイヤレスデバイスにブロック確認応答要求メッセージを送信する
ように構成され、前記ブロック確認応答要求メッセージは前記第３のワイヤレスメッセージの確認応答を要求し、
前記受信機はさらに、前記第２のワイヤレスデバイスから前記第３のワイヤレスメッセージに対するブロック確認応答メッセージを受信するように構成される、
請求項１２に記載の装置。
【請求項１５】
コンピュータ上で実行されたときに請求項１〜４および９〜１１のうちの一項に記載の方法を実行するための命令を備える、コンピュータプログラム。
【手続補正２】
【補正対象書類名】明細書
【補正対象項目名】０１１９
【補正方法】変更
【補正の内容】
【０１１９】
[0132]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願の出願当初の特許請求の範囲に記載された発明を付記する。
［Ｃ１］
ワイヤレス通信の方法であって、
第２の局から第２のワイヤレスメッセージを受信することと少なくとも部分的に同時に、第１の局から第１のワイヤレスメッセージを受信することと、
前記第１のワイヤレスメッセージを受信したことに応答して、第１の確認応答メッセージを生成することと、
前記第２のワイヤレスメッセージを受信したことに応答して、第２の確認応答メッセージを生成することと、
前記第２の局へ前記第２の確認応答メッセージを送信することと少なくとも部分的に同時に、前記第１の局に前記第１の確認応答メッセージを送信することと、
を備える方法。
［Ｃ２］
前記第１の確認応答メッセージはブロック確認応答として生成され、前記第２の確認応答メッセージは単一フレームの確認応答として生成される、Ｃ１に記載の方法。
［Ｃ３］
前記第１の確認応答メッセージはブロック確認応答として生成され、前記第２の確認応答メッセージはブロック確認応答として生成される、Ｃ１に記載の方法。
［Ｃ４］
前記第１の局から第３のワイヤレスメッセージを受信することと、前記第３のワイヤレスメッセージは前記第１の局についての確認応答ポリシーを示し、
前記第１の局についての前記確認応答ポリシーに基づいて、前記第１の確認応答メッセージを送信することと、
をさらに備える、Ｃ１に記載の方法。
［Ｃ５］
前記第３のワイヤレスメッセージに基づいて、前記第１のワイヤレス局が即刻のブロック確認応答を要求していると決定することと、
前記決定に基づいて前記第１の確認応答メッセージを送信することと、
をさらに備える、Ｃ４に記載の方法。
［Ｃ６］
前記第１のワイヤレスメッセージおよび前記第２のワイヤレスメッセージと少なくとも部分的に同時に、第３の局から第３のワイヤレスメッセージを受信することと、
前記第３の局が遅れたブロック確認応答を要求していることを示す第４のワイヤレスメッセージを前記第３の局から受信することと、
前記第４のワイヤレスメッセージに基づいて、前記第１および第２のワイヤレスメッセージの前記送信の完了の後、前記第３の局へ第３の確認応答メッセージを送信することと、
をさらに備える、Ｃ１に記載の方法。
［Ｃ７］
第１の空間ストリームで前記第１のワイヤレスメッセージを受信することと、
第２の空間ストリームで前記第２のワイヤレスメッセージを受信することと、
前記第１の空間ストリームに基づいて第３の空間ストリームを決定することと、
前記第２の空間ストリームに基づいて第４の空間ストリームを決定することと、
前記第３の空間ストリームで前記第１の確認応答メッセージを送信することと、
前記第４の空間ストリームで前記第２の確認応答メッセージを送信することと、
をさらに備える、Ｃ１に記載の方法。
［Ｃ８］
第１の周波数で前記第１のワイヤレスメッセージを受信することと、
第２の周波数で前記第２のワイヤレスメッセージを受信することと、
前記第１の周波数に基づいて第３の周波数を決定することと、
前記第２の周波数に基づいて第４の周波数を決定することと、
前記第３の周波数で前記第１の確認応答メッセージを送信することと、
前記第４の周波数で前記第２の確認応答メッセージを送信することと、
をさらに備える、Ｃ１に記載の方法。
［Ｃ９］
クリアツートランスミットメッセージを生成することと、前記クリアツートランスミットメッセージは第３の局が第３のワイヤレスメッセージを送信するための許可を有することを示し、前記クリアツートランスミットメッセージはさらに前記第３のワイヤレスメッセージに対する確認応答が送信される時間を示し、
前記第３の局に前記クリアツートランスミットメッセージを送信することと、
前記示された時間において前記第３のワイヤレスメッセージに確認応答を送信することと、
をさらに備える、Ｃ１に記載の方法。
［Ｃ１０］
ワイヤレス通信のための装置であって、
第２の局から第２のワイヤレスメッセージを受信することと少なくとも部分的に同時に、第１の局から第１のワイヤレスメッセージを受信するように構成される受信機と、
前記第１のワイヤレスメッセージを受信したことに応答して、第１の確認応答メッセージを生成し、前記第２のワイヤレスメッセージを受信したことに応答して、第２の確認応答メッセージを生成するように構成されるプロセッサと、
前記第２の局へ前記第２の確認応答メッセージを送信することと少なくとも部分的に同時に、前記第１の確認応答メッセージを前記第１の局に送信するように構成される送信機と、
を備える装置。
［Ｃ１１］
前記プロセッサはさらに、ブロック確認応答として前記第１の確認応答メッセージを生成するように構成され、前記プロセッサはさらに、ブロック確認応答として前記第２の確認応答メッセージを生成するように構成される、Ｃ１０に記載の装置。
［Ｃ１２］
前記プロセッサはさらに、ブロック確認応答として前記第１の確認応答メッセージを生成するように構成され、前記プロセッサはさらに、単一フレームの確認応答として前記第２の確認応答メッセージを生成するように構成される、Ｃ１０に記載の装置。
［Ｃ１３］
前記受信機はさらに、前記第１の局から第３のワイヤレスメッセージを受信するように構成され、前記第３のワイヤレスメッセージは前記第１の局についての確認応答ポリシーを示し、前記送信機はさらに、前記第１の局についての前記確認応答ポリシーに基づいて、前記第１の確認応答メッセージを送信するように構成される、Ｃ１０に記載の装置。
［Ｃ１４］
前記プロセッサはさらに、前記第３のワイヤレスメッセージに基づいて、前記第１のワイヤレス局が即刻のブロック確認応答を要求していると決定するように構成され、前記送信機はさらに、前記決定に基づいて前記第１の確認応答メッセージを送信するように構成される、Ｃ１３に記載の装置。
［Ｃ１５］
前記受信機はさらに、前記第１のワイヤレスメッセージおよび前記第２のワイヤレスメッセージと少なくとも部分的に同時に、第３の局から第３のワイヤレスメッセージを受信し、前記第３の局が遅れたブロック確認応答を要求していることを示す第４のワイヤレスメッセージを前記第３の局から受信するように構成され、
前記送信機はさらに、前記第４のワイヤレスメッセージに基づいて、前記第１および第２のワイヤレスメッセージの前記送信の完了の後、前記第３の局へ第３の確認応答メッセージを送信するように構成される、Ｃ１０に記載の装置。
［Ｃ１６］
前記受信機はさらに、第１の空間ストリームで前記第１のワイヤレスメッセージを受信し、第２の空間ストリームで前記第２のワイヤレスメッセージを受信するように構成され、
前記プロセッサはさらに、前記第１の空間ストリームに基づいて第３の周波数を決定し、前記第２の空間ストリームに基づいて第４の周波数を決定するように構成され、
前記送信機はさらに、前記第３の空間ストリームで前記第１の確認応答メッセージを送信し、前記第４の空間ストリームで前記第２の確認応答メッセージを送信するように構成される、Ｃ１０に記載の装置。
［Ｃ１７］
前記受信機はさらに、第１の周波数で前記第１のワイヤレスメッセージを受信し、第２の周波数で前記第２のワイヤレスメッセージを受信するように構成され、
前記プロセッサはさらに、前記第１の周波数に基づいて第３の周波数を決定し、前記第２の周波数に基づいて第４の周波数を決定するように構成され、
前記送信機はさらに、前記第３の周波数で前記第１の確認応答メッセージを送信し、前記第４の周波数で前記第２の確認応答メッセージを送信するように構成される、Ｃ１０に記載の装置。
［Ｃ１８］
前記プロセッサはさらに、クリアツートランスミットメッセージを生成するように構成され、前記クリアツートランスミットメッセージは、第３の局が第３のワイヤレスメッセージを送信するための許可を有することを示し、前記クリアツートランスミットメッセージはさらに、前記第３のワイヤレスメッセージに対する確認応答が送信される時間を示し、
前記送信機はさらに、前記第３の局に前記クリアツートランスミットメッセージを送信し、前記示された時間において前記第３のワイヤレスメッセージに対する確認応答を送信するように構成される、Ｃ１０に記載の装置。
［Ｃ１９］
ワイヤレス通信の方法であって、
第１のワイヤレスデバイスで、第２のワイヤレスデバイスへの第２のワイヤレスメッセージの第３のワイヤレスデバイスによる送信と少なくとも部分的に同時に、前記第２のワイヤレスデバイスに第１のワイヤレスメッセージを送信することと、
前記第２のワイヤレスメッセージに対する第２の確認応答メッセージの少なくとも一部分を受信することと少なくとも部分的に同時に、前記第１のワイヤレスメッセージに対する確認応答メッセージを受信することと、
を備える方法。
［Ｃ２０］
前記第２のワイヤレスデバイスからクリアツートランスミットメッセージを受信することと、
前記第１のワイヤレスメッセージを送信する時間を決定するために前記クリアツートランスミットメッセージを復号することと、
前記決定された時間において前記第１のワイヤレスメッセージを送信することと、
をさらに備える、Ｃ１９に記載の方法。
［Ｃ２１］
前記第１のワイヤレスデバイスで、遅れたブロック確認応答が要求されることを示す確認応答ポリシーメッセージを送信することと、
前記第１のワイヤレスデバイスで、前記第２のワイヤレスデバイスに送信される第４のワイヤレスメッセージの第４のワイヤレスデバイスによる送信と少なくとも部分的に同時に、前記第２のワイヤレスデバイスに第３のワイヤレスメッセージを送信することと、
前記第２のワイヤレスデバイスにブロック確認応答要求メッセージを送信することと、前記ブロック確認応答要求メッセージは前記第３のワイヤレスメッセージの確認応答を要求し、
前記第２のワイヤレスデバイスから前記第３のワイヤレスメッセージに対するブロック確認応答メッセージを受信することと、
をさらに備える、Ｃ１９に記載の方法。
［Ｃ２２］
第１の空間ストリームで前記第１のワイヤレスメッセージに対する前記確認応答を受信することと、第２の空間ストリームで前記第２の確認応答メッセージを受信することと、
をさらに備える、Ｃ１９に記載の方法。
［Ｃ２３］
第１の周波数で前記第１の確認応答メッセージに対する前記確認応答を受信することと、第２の周波数で前記第２の確認応答メッセージを受信することと、
をさらに備える、Ｃ１９に記載の方法。
［Ｃ２４］
ワイヤレス通信のための第１の装置であって、
第２のワイヤレスデバイスへの第２のワイヤレスメッセージの第３のワイヤレスデバイスによる送信と少なくとも部分的に同時に、前記第２のワイヤレスデバイスに第１のワイヤレスメッセージを送信するように構成される送信機と、
前記第２のワイヤレスメッセージに対する第２の確認応答メッセージの少なくとも一部分を受信することと少なくとも部分的に同時に、前記第１のワイヤレスメッセージに対する確認応答メッセージを受信するように構成される受信機と、
を備える、第１の装置。
［Ｃ２５］
第３のワイヤレスメッセージを生成するように構成されるプロセッサをさらに備え、前記ワイヤレスメッセージは前記第１のワイヤレスメッセージに確認応答するための確認応答ポリシーを示し、
前記送信機はさらに、前記第２のワイヤレスデバイスに前記第３のワイヤレスメッセージを送信するように構成される、
Ｃ２４に記載の装置。
［Ｃ２６］
前記プロセッサはさらに、即刻のブロック確認応答または単一フレームの確認応答という確認応答ポリシーを示すために前記第３のワイヤレスメッセージを生成するように構成される、Ｃ２５に記載の装置。
［Ｃ２７］
前記受信機はさらに、前記第２のワイヤレスデバイスからクリアツートランスミットメッセージを受信するように構成され、
前記プロセッサはさらに、前記第１のワイヤレスメッセージを送信する時間を決定するために前記クリアツートランスミットメッセージを復号するように構成され、
前記送信機はさらに、前記決定された時間において前記第１のワイヤレスメッセージを送信するように構成される、
Ｃ２４に記載の装置。
［Ｃ２８］
前記送信機はさらに、
遅れたブロック確認応答が要求されることを示す確認応答ポリシーメッセージを送信し、
前記第２のワイヤレスデバイスに送信される第４のワイヤレスメッセージの第４のワイヤレスデバイスによる送信と少なくとも部分的に同時に、前記第２のワイヤレスデバイスに第３のワイヤレスメッセージを送信し、
前記第２のワイヤレスデバイスにブロック確認応答要求メッセージを送信するように構成され、前記ブロック確認応答要求メッセージは前記第３のワイヤレスメッセージの確認応答を要求し、
前記受信機はさらに、前記第２のワイヤレスデバイスから前記第３のワイヤレスメッセージに対するブロック確認応答メッセージを受信するように構成される、
Ｃ２４に記載の装置。
［Ｃ２９］
前記受信機はさらに、第１の空間ストリームで前記第１のワイヤレスメッセージに対する前記確認応答を受信し、第２の空間ストリームで前記第２の確認応答メッセージを受信するように構成される、Ｃ２４に記載の装置。
［Ｃ３０］
前記受信機はさらに、第１の周波数で前記第１の確認応答メッセージに対する前記確認応答を受信し、第２の周波数で前記第２の確認応答メッセージを受信するように構成される、Ｃ２４に記載の装置。